(57)【要約】【課題】取り扱いがよい埋設物探査装置用遮光フードを提供する。【解決手段】  展開した状態では略長方形で平板状の外周体２と、外周体２の上端部に折り曲げ自在に接続された上蓋体３と、外周体２の両端部を着脱自在に接続する面ファスナとを備え、外周体２は、端末ホルダ１０４の外周に沿って筒状に巻き付け自在で、面ファスナで両端部を接続することで端末ホルダ１０４に取り付けられ、上蓋体３は、筒状の外周体２の上部開口を塞ぐように折り曲げた状態で、スマートフォンＴのディスプレイを臨める開口部３１ａが形成されている。【選択図】  図７
2015040849.tif 000002
【特許請求の範囲】
【請求項１】
本体ケーシング内に、レーダ波を媒質に放射する送信アンテナと、前記媒質からの反射波を受信する受信アンテナとが収容され、前記反射波を解析処理した結果を表示可能な携帯端末を取り付けるための端末ホルダが、前記本体ケーシングの上面に配設された埋設物探査装置に着脱自在に取り付けられ、光で前記携帯端末のディスプレイが見えにくくなるのを防止するための埋設物探査装置用遮光フードであって、
展開した状態では略長方形で平板状の外周体と、該外周体の上端部に折り曲げ自在に接続された上蓋体と、前記外周体の両端部を着脱自在に接続する着脱手段とを備え、
前記外周体は、前記端末ホルダの外周に沿って筒状に巻き付け自在で、前記着脱手段で前記両端部を接続することで前記端末ホルダに取り付けられ、前記上蓋体は、筒状の前記外周体の上部開口を塞ぐように折り曲げた状態で、前記携帯端末のディスプレイを臨める開口部が形成されている、
ことを特徴とする埋設物探査装置用遮光フード。
【請求項２】
前記外周体には、前記端末ホルダの外周に沿って巻き付けられた状態で、前記端末ホルダの外周部に当接して前記端末ホルダとのずれを防止するずれ防止部材が設けられている、
ことを特徴とする請求項１に記載の埋設物探査装置用遮光フード。
【発明の詳細な説明】
【技術分野】
【０００１】
この発明は、レーダを用いて埋設物を探査する埋設物探査装置に取り付けられる、埋設物探査装置用遮光フードに関する。
【背景技術】
【０００２】
地中や壁、床などの媒質に埋設されている鉄筋やガス管などの埋設物・ターゲットを探査するために、レーダを用いた埋設物探査装置が知られている（例えば、特許文献１等参照。）。この埋設物探査装置は、送受信回路と送受信アンテナなどから構成されるセンサ部と、モニタ部（ディスプレイ）とが一体的に組み付けられている。そして、所定の繰り返し周期で発生されるパルス状のレーダ波を、送信アンテナから地中や壁に放射し、地中や壁から戻ってきた反射波を受信アンテナで受信し、反射波に基づいて解析処理を行い、地中や壁の内部情報をモニタ部に表示するものである。
【０００３】
また、野外で使用する場合に、太陽光などの外光でモニタ部が見えにくくなるのを防止するために、遮光フードを取り付けられるようになっている。すなわち、埋設物探査装置の本ケーシングに両面テープで面ファスナを取り付け、面ファスナを介して箱状・筒状の遮光フードを本ケーシングに取り付けて、モニタ部の周りを遮光フードで囲っていた。
【先行技術文献】
【特許文献】
【０００４】
【特許文献１】特開２０００−１９２５７号公報
【発明の概要】
【発明が解決しようとする課題】
【０００５】
このように従来、遮光フードを取り付けるには、使用者が本ケーシングに面ファスナを取り付け、さらに面ファスナを介して遮光フードを本ケーシングに取り付けなければならず、時間と労力とを要していた。また、箱状の遮光フードで折り畳むことができないため、未使用時の収容性や持ち運び性が悪かった。
【０００６】
そこでこの発明は、取り扱いがよい埋設物探査装置用遮光フードを提供することを目的とする。
【課題を解決するための手段】
【０００７】
上記目的を達成するために、請求項１に記載の発明は、本体ケーシング内に、レーダ波を媒質に放射する送信アンテナと、前記媒質からの反射波を受信する受信アンテナとが収容され、前記反射波を解析処理した結果を表示可能な携帯端末を取り付けるための端末ホルダが、前記本体ケーシングの上面に配設された埋設物探査装置に着脱自在に取り付けられ、光で前記携帯端末のディスプレイが見えにくくなるのを防止するための埋設物探査装置用遮光フードであって、展開した状態では略長方形で平板状の外周体と、該外周体の上端部に折り曲げ自在に接続された上蓋体と、前記外周体の両端部を着脱自在に接続する着脱手段とを備え、前記外周体は、前記端末ホルダの外周に沿って筒状に巻き付け自在で、前記着脱手段で前記両端部を接続することで前記端末ホルダに取り付けられ、前記上蓋体は、筒状の前記外周体の上部開口を塞ぐように折り曲げた状態で、前記携帯端末のディスプレイを臨める開口部が形成されている、ことを特徴とする。
【０００８】
この発明によれば、外周体を端末ホルダの外周に沿って筒状に巻き付け、着脱手段で外周体の両端部を接続し、上蓋体を筒状の外周体の上部開口側に折り曲げる。このようにして本埋設物探査装置用遮光フードを取り付けた状態では、外光が外周体と上蓋体とで遮光されるとともに、上蓋体の開口部から携帯端末のディスプレイが臨める。また、遮光が不要な場合には、外周体の両端部の接続を着脱手段で解除すればよい。
【０００９】
請求項２に記載の発明は、請求項１に記載の埋設物探査装置用遮光フードにおいて、前記外周体には、前記端末ホルダの外周に沿って巻き付けられた状態で、前記端末ホルダの外周部に当接して前記端末ホルダとのずれを防止するずれ防止部材が設けられている、ことを特徴とする。
【発明の効果】
【００１０】
請求項１の発明によれば、外周体を端末ホルダの外周に沿って筒状に巻き付け、着脱手段で外周体の両端部を接続するだけで、容易かつ迅速に本埋設物探査装置用遮光フードを取り付けることができる。また、上蓋体を筒状の外周体の上部開口側に折り曲げるだけで、端末ホルダ（携帯端末）の上方も覆うことができ、しかも、上蓋体の開口部から携帯端末のディスプレイが臨めるため、ディスプレイの内容（解析結果）を見ることができる。この際、外周体と上蓋体とで携帯端末の周囲が遮光されるため、ディスプレイの内容が見えにくくならない。
【００１１】
一方、外周体の両端部の接続を着脱手段で解除するだけで、本埋設物探査装置用遮光フードを取り外すことができ、しかも、平板状に展開可能なため、収容性や持ち運び性がよい。このように、本埋設物探査装置用遮光フードは、取り扱いが良好である。
【００１２】
請求項２の発明によれば、防止部材によって端末ホルダとのずれが防止されるため、本埋設物探査装置用遮光フードを適正・確実に埋設物探査装置に取り付けることができ、安定性、操作性が良好となる。
【図面の簡単な説明】
【００１３】
【図１】この発明の実施の形態に係る埋設物探査装置用遮光フードの展開状態を示す内面側の平面図（ａ）と正面図（ｂ）と側面図（ｃ）である。
【図２】図１の埋設物探査装置用遮光フードの組み立て途中を示す斜視図である。
【図３】図１の埋設物探査装置用遮光フードを組み立てた状態を示す斜視図である。
【図４】図１の埋設物探査装置用遮光フードの組み立て状態の背面図である。
【図５】図１の埋設物探査装置用遮光フードを取り付ける埋設物探査装置を示す斜視図である。
【図６】図５の埋設物探査装置の正面図（ａ）と平面図（ｂ）である。
【図７】図１の埋設物探査装置用遮光フードを埋設物探査装置に取り付けた状態を示す斜視図である。
【図８】図７の平面図である。
【図９】図７の正面図である。
【発明を実施するための形態】
【００１４】
以下、この発明を図示の実施の形態に基づいて説明する。
【００１５】
図１〜９は、この発明の実施の形態を示す。特に、図１は、この発明の実施の形態に係る埋設物探査装置用遮光フード１の内面側の展開状態を示す平面図（ａ）と正面図（ｂ）と側面図（ｃ）であり、図２は、埋設物探査装置用遮光フード１の組み立て途中を示す斜視図であり、図３は、埋設物探査装置用遮光フード１を組み立てた状態を示す斜視図であり、図４は、埋設物探査装置用遮光フード１の組み立て状態の背面図である。この埋設物探査装置用遮光フード１は、埋設物探査装置１００に装着されるスマートフォン（多機能携帯電話、携帯端末）Ｔのディスプレイが太陽光などの外光で見えにくくなるのを防止するための遮光フードである。
【００１６】
ここで、まず、埋設物探査装置１００について説明する。埋設物探査装置１００は、図５、６に示すように本体ケーシング１０２と、ハンドルセット１０３とを備え、制御部による制御に基づいて、送信回路でパルス信号を生成して送信アンテナに給電し、送信アンテナから所定周期のパルス状のレーダ波を媒質に放射する。一方、受信アンテナで受信した媒質からの反射波を、受信回路によって受信ＩＦ信号として制御部に伝送する。そして、制御部において、レーダ波の放射から反射波の受信までの時間と、受信ＩＦ信号の位相とに基づいて、埋設物の位置、状態を解析して、その結果をディスプレイに表示できるものである。
【００１７】
このような送信アンテナや受信アンテナ、送信回路や受信回路および制御部などの探査部は、本体ケーシング１０２に収容されている。この本体ケーシング１０２は、高さが低い直方体状の筐体で、四方にホイール１２１が回転自在に配設されている。そして、ホイール１２１を地面や壁面などに当てて回転させながら、本体ケーシング１０２を走査させることで、上記のようにして逐次探査を行い、埋設物を検知すると探査ＬＥＤが点灯するようになっている。
【００１８】
また、本体ケーシング１０２内には、無線通信部が内蔵され、スマートフォンＴと通信自在となっている。そして、上記のようにして制御部で解析処理した結果をスマートフォンＴに送信することで、埋設物の位置、状態がスマートフォンＴのディスプレイに表示されるようになっている。
【００１９】
このような本体ケーシング１０２の上面に対して、ハンドルセット１０３が着脱自在に設けられている。このハンドルセット１０３は、端末ホルダ１０４とハンドル１０５とが一体的に構成されている。
【００２０】
端末ホルダ１０４は、上記のようにして制御部で解析処理された結果を表示可能なスマートフォンＴを、着脱自在に本体ケーシング１０２に取り付けるホルダであり、しかも、大きさが異なるスマートフォンＴを着脱自在となっている。ここで、スマートフォンＴは、既製・既存の汎用のスマートフォンで、埋設物探査装置１００用のアプリケーションソフトがインストールされ、埋設物探査装置１００（本体ケーシング１０２）から解析結果・解析データを受信して、埋設物の位置、状態をディスプレイに表示するようになっている。
【００２１】
端末ホルダ１０４は、ホルダベース１４１と保持スライダ１４２とを備えている。ホルダベース１４１は、本体ケーシング１０２の上面の略半分（図中左側）を覆う略長方形の平板状で、取付ネジ１４３を締め付けることで、ハンドルセット１０３が本体ケーシング１０２に取り付けられ、取付ネジ１４３を緩めることで、ハンドルセット１０３が本体ケーシング１０２から分離されるようになっている。
【００２２】
保持スライダ１４２は、平面形状がコ字状で、ホルダベース１４１の前端部に配設され、上端の中央部には、落下防止板部１４２ａが形成されている。ここで、保持スライダ１４２の高さ・厚みと落下防止板部１４２ａの配設高さは、ホルダベース１４１と落下防止板部１４２ａとの間にスマートフォンＴが装着できるように設定されている。
【００２３】
また、保持スライダ１４２は、ラチェット機構を備え、図６（ａ）中の矢印Ｄ１方向に対しては常に移動自在で、同図中矢印Ｄ２方向に対しては、ホルダベース１４１のアンロックレバー１４４を回してロックを解除しないと、保持スライダ１４２を移動できないようになっている。
【００２４】
そして、スマートフォンＴを取り付ける際には、まず、保持スライダ１４２を矢印Ｄ２方向に移動させ、ホルダベース１４１の上面にスマートフォンＴを載せ、スマートフォンＴの幅に合わせて保持スライダ１４２を矢印Ｄ１方向に移動させる。これにより、保持スライダ１４２とハンドル１０５の基部１５１とで、スマートフォンＴが幅方向で挟持され、スマートフォンＴが本体ケーシング１０２に取り付けられる。
【００２５】
この状態では、上記のように、アンロックレバー１４４を回さない限り、保持スライダ１４２が矢印Ｄ２方向に移動せず、スマートフォンＴの挟持状態が維持される。一方、アンロックレバー１４４を回して保持スライダ１４２を矢印Ｄ２方向に移動させることで、スマートフォンＴの挟持状態が解除され、スマートフォンＴを本体ケーシング１０２から取り外せるものである。このようにして、スマートフォンＴが本体ケーシング１０２に着脱自在で、しかも、大きさが異なるスマートフォンＴを着脱自在となっている。
【００２６】
ハンドル１０５は、本体ケーシング１０２を持ち動かすためのハンドルで、保持スライダ１４２に対向するように設けられている。すなわち、図６に示すように、ホルダベース１４１の後端部から上方に延びる基部１５１が設けられ、この基部１５１の上部から略水平方向に延びるように把持部１５２が設けられている。把持部１５２は、人が手で握りやすい形状に形成され、さらに、自由端部（反基部１５１側の端部）には、下方に延びる抜け止め部１５２ａが形成されている。これにより、把持部１５２を握った手が、把持部１５２から抜けにくいようになっている。つまり、埋設物探査装置１００を落としたり手放したりしにくいようになっている。
【００２７】
基部１５１の上面部には、ハンドル側操作スイッチＳＷ１、ＳＷ２が設けられ、このハンドル側操作スイッチＳＷ１、ＳＷ２を押下すると、探査を開始したり、表示画像処理（自動マーカー）を行ったりできるようになっている。また、保持スライダ１４２に対向する基部１５１の面には、スマートフォンＴを安定して、かつ傷つけることなく挟持するための、弾性を有する緩衝部材１５３が配設されている。さらに、ハンドルセット１０３を外した状態で、本体ケーシング１０２の上面には本体側操作スイッチが設けられ、このスイッチによっても、ハンドル側操作スイッチＳＷ１、ＳＷ２と同じ操作が行えるようになっている。
【００２８】
埋設物探査装置用遮光フード１は、このような埋設物探査装置１００に着脱自在に取り付けられ、外周体２と上蓋体３とバンド４とが一体的に設けられている。この外周体２と上蓋体３とバンド４は、板状の芯材を縫製材や樹脂材で覆って構成され、多少変形自在となっている。
【００２９】
外周体２は、展開した状態では横長の略長方形の平板状で、端末ホルダ１０４の外周に沿って筒状に巻き付け自在となっている。すなわち、図１に示すように、垂直方向に延びる折り目（縫い目）２ａが４つ形成され、これにより、５つの側面部２１〜２５が設けられている。そして、図７に示すように、端末ホルダ１０４の四角部に縦折り目２ａが位置することで、端末ホルダ１０４の外周に沿って筒状に巻き付け自在となり、第１の側面部２１が端末ホルダ１０４の前面（保持スライダ１４２）に位置し、第２の側面部２２と第３の側面部２３とが端末ホルダ１０４の側面に位置し、第４の側面部２４と第５の側面部２５とが端末ホルダ１０４の背面（ハンドル１０５側）に位置するようになっている。また、この状態では、図４に示すように、第４の側面部２４と第５の側面部２５とは接触せずに隙間Ｓが設けられ、この隙間Ｓにハンドル１０５が位置するようになっている。
【００３０】
第４の側面部２４の表面側には、上下方向に第１のループ側ファスナ５１と第２のループ側ファスナ５２とが貼り付けられ、第５の側面部２５の表面側の上部には、第３のループ側ファスナ５３が貼り付けられている。また、第１の側面部２１の下部には、縦折り目２ａ間に延びる第１の横折り目２ｂが形成され、この第１の横折り目２ｂよりも下側の縦折り目２ａにはスリット（切れ目）２ｃが形成されている。これにより、両スリット２ｃと第１の横折り目２ｂとで囲まれるスカート部２１１が、第１の横折り目２ｂを折り目として折り曲げ自在となっている。そして、端末ホルダ１０４の外周に沿って筒状に巻き付けられた際に、保持スライダ１４２の位置に応じてスカート部２１１が折り曲がり、スカート部２１１が保持スライダ１４２に適正・柔軟に当接して、取り付けが良好になるようになっている。
【００３１】
さらに、第１の横折り目２ｂの上方には、水平方向に延びる第１のガイド（ずれ防止部材）６１が取り付けられている。この第１のガイド６１は、断面がＬ字形で、図７、９に示すように、端末ホルダ１０４の外周に沿って筒状に巻き付けられた状態で、端末ホルダ１０４の保持スライダ１４２（外周部）の上面に当接して、端末ホルダ１０４とのずれを防止するようになっている。さらに、図１に示すように、第２の側面部２２と第３の側面部２３にはそれぞれ、スリット２ｃの近傍に第２のガイド（ずれ防止部材）６２が取り付けられている。この第２のガイド６２は、略正方形の板状で、図７、９に示すように、端末ホルダ１０４の外周に沿って筒状に巻き付けられた状態で、端末ホルダ１０４の保持スライダ１４２（外周部）の下面に当接して、端末ホルダ１０４とのずれを防止するようになっている。つまり、第１のガイド６１と第２のガイド６２とで、端末ホルダ１０４（保持スライダ１４２）を挟むようになっている。さらに、第１のガイド６１の断面がＬ字形で、上下方向に首振り自在なため、保持スライダ１４２の上面に良好に当接するようになっている。
【００３２】
上蓋体３は、外周体２の第１の側面部２１の上端部に折り曲げ自在に接続されている。具体的には、第１の側面部２１の上方に延長するように、略長方形の上蓋体３が設けられ、第１の側面部２１と上蓋体３の間には、第２の横折り目２ｄが形成されている。そして、この第２の横折り目２ｄを折り目として折り曲げ自在となっている。
【００３３】
また、上蓋体３は、蓋部３１と止め部３２とを一体的に備え、蓋部３１と止め部３２との間には、第３の横折り目２ｅが形成されている。蓋部３１は、図３に示すように、外周体２を端末ホルダ１０４の外周に沿って筒状に巻き付けた状態で、第２の横折り目２ｄで折り曲げることで、筒状の外周体２の上部開口を塞ぐように、その形状が設定されている。また、蓋部３１の中央部には、長方形の開口部（窓部）３１ａが形成され、筒状の外周体２の上部開口を塞いだ状態で、スマートフォンＴのディスプレイを臨めるようになっている。ここで、開口部３１ａの大きさ・形状は、外光をできるだけ遮光した上でスマートフォンＴのディスプレイを目視できるように設定されている。同様に、外周体２の高さも、筒状・箱状に形成された状態で、外光をできるだけ遮光した上でスマートフォンＴのディスプレイを目視できるように設定されている。
【００３４】
止め部３２は、第３の横折り目２ｅを折り目として折り曲げ自在で、内面の略全面に第２のホック側ファスナ５４が貼り付けられている。そして、図３、４に示すように、外周体２を端末ホルダ１０４の外周に沿って筒状に巻き付けて、筒状の外周体２の上部開口を蓋部３１で塞いだ状態で、止め部３２を第３の横折り目２ｅで折り曲げて、第２のホック側ファスナ５４を第２のループ側ファスナ５２と第３のループ側ファスナ５３とに接合させる。これにより、第４の側面部２４と第５の側面部２５との上部が、止め部３２を介して接続される。
【００３５】
バンド４は、帯状で、一端部が第５の側面部２５の下部に接続され、他端部（自由端部）側の内面には、第１のホック側ファスナ５５が貼り付けられている。そして、図３、４に示すように、外周体２を端末ホルダ１０４の外周に沿って筒状に巻き付けて、第１のホック側ファスナ５５を第１のループ側ファスナ５１に接合させる。これにより、第４の側面部２４と第５の側面部２５との下部が、バンド４を介して接続される。このように、第１のループ側ファスナ５１と第１のホック側ファスナ５５とによって、外周体２の長手方向の両端部を着脱自在に接続する着脱手段が構成されている。ここで、ループ側ファスナ５１、５２、５３とホック側ファスナ５４、５５とは、着脱自在な面ファスナを構成するものである。
【００３６】
そして、埋設物探査装置用遮光フード１は、外周体２を端末ホルダ１０４の外周に沿って筒状に巻き付けて、第１のループ側ファスナ５１と第１のホック側ファスナ５５とで外周体２の両端部を接続することで、端末ホルダ１０４つまり埋設物探査装置１００に取り付けられる。ここで、バンド４が帯状で、しかも、第１のループ側ファスナ５１と第１のホック側ファスナ５５とが横長に形成されているため、第１のループ側ファスナ５１と第１のホック側ファスナ５５との接合位置を変更自在となっている。このため、保持スライダ１４２の位置やスマートフォンＴの大きさや形状に応じて、第１のループ側ファスナ５１と第１のホック側ファスナ５５を確実に接合して、適正・強固に埋設物探査装置用遮光フード１を取り付けることが可能となる。
【００３７】
次に、このような構成の埋設物探査装置用遮光フード１の使用方法などについて説明する。
【００３８】
まず、埋設物探査装置用遮光フード１を埋設物探査装置１００に取り付けるには、図７に示すように、第１のガイド６１を保持スライダ１４２の上面に当接させながら、外周体２を端末ホルダ１０４の外周に沿って筒状に巻き付ける。これにより、２つの第２のガイド６２が保持スライダ１４２の下面に当接して、端末ホルダ１０４（保持スライダ１４２）が第１のガイド６１と第２のガイド６２とで挟まれる。次に、バンド４をハンドル１０５の基部１５１の外側（抜け止め部１５２ａ側）に回して、バンド４の第１のホック側ファスナ５５を第１のループ側ファスナ５１に接合させて、第４の側面部２４と第５の側面部２５との下部を接続する。
【００３９】
続いて、筒状の外周体２の上部開口を塞ぐように上蓋体３の蓋部３１を折り曲げ、止め部３２の第２のホック側ファスナ５４を第２のループ側ファスナ５２と第３のループ側ファスナ５３とに接合させて、第４の側面部２４と第５の側面部２５との上部を接続する。これにより、埋設物探査装置用遮光フード１が底面を有さない略直方体の箱型となり、かつ、端末ホルダ１０４に巻き付くようにして埋設物探査装置１００に取り付けられるものである。この際、外周体２が多少変形自在なため、端末ホルダ１０４の外形に沿って良好に巻き付き、また、バンド４がハンドル１０５の把持部１５２の下を通っているため、埋設物探査装置用遮光フード１が埋設物探査装置１００から抜けることがない。
【００４０】
このようにして埋設物探査装置用遮光フード１を取り付けた状態で、埋設物探査装置１００を操作して埋設物の探査を行う。この際、太陽光などが外周体２や上蓋体３の蓋部３１によって遮られるとともに、上蓋体３の開口部３１ａからスマートフォンＴのディスプレイの内容、つまり解析結果を目視できるものである。
【００４１】
その後、遮光が不要な場合や探査が終了した場合には、埋設物探査装置用遮光フード１を埋設物探査装置１００から取り外す。すなわち、上蓋体３の止め部３２の第２のホック側ファスナ５４を第２のループ側ファスナ５２と第３のループ側ファスナ５３とから引き離すとともに、バンド４の第１のホック側ファスナ５５を第１のループ側ファスナ５１から引き離して、埋設物探査装置用遮光フード１を埋設物探査装置１００から取り除く。そして、埋設物探査装置用遮光フード１を図１のように平板状に展開したり、折り目２ａ、２ｄで折り重ねたりして、持ち運んだり保管したりするものである。
【００４２】
以上のように、外周体２を端末ホルダ１０４の外周に沿って筒状に巻き付け、バンド４で外周体２の両端部を接続するだけで、容易かつ迅速に本埋設物探査装置用遮光フード１を取り付けることができる。また、上蓋体３を筒状の外周体２の上部開口側に折り曲げるだけで、端末ホルダ１０４つまりスマートフォンＴの上方も覆うことができ、しかも、上蓋体３の開口部３１ａからスマートフォンＴのディスプレイを臨めるため、ディスプレイの内容（解析結果）を見ることができる。この際、外周体２と上蓋体３とでスマートフォンＴの周囲が遮光されるため、ディスプレイの内容が見えにくくならない。
【００４３】
一方、上蓋体３の第２のホック側ファスナ５４やバンド４の第１のホック側ファスナ５５を引き離すだけで、本埋設物探査装置用遮光フード１を取り外すことができ、しかも、平板状に展開したり折り重ねたりできるため、収容性や持ち運び性がよい。このように、本埋設物探査装置用遮光フード１は、取り扱いが良好である。さらに、第１のガイド６１と第２のガイド６２によって端末ホルダ１０４とのずれ（ガタつき）が防止されるため、本埋設物探査装置用遮光フード１を適正・確実に埋設物探査装置１００に取り付けることができ、安定性、操作性が良好となる。
【００４４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、上蓋体３の止め部３２が第４の側面部２４と第５の側面部２５とに着脱するようになっているが、蓋部３１の両側に止め部を設け、この２つの止め部が第２の側面部２２と第３の側面部２３とに着脱するようにしてもよい。また、ハンドル１０５の基部１５１の外側を回してバンド４を締めているが、端末ホルダ１０４やハンドル１０５の位置などによっては、ハンドル１０５の基部１５１の内側（端末ホルダ１０４側）を回してバンド４を締めてもよい。さらに、バンド４をゴムバンドで構成して、より強固、柔軟に、安定して取り付けられるようにしてもよい。
【符号の説明】
【００４５】
１        埋設物探査装置用遮光フード
２        外周体
２１〜２５  側面部
３        上蓋体
３１      蓋部
３１ａ    開口部
３２      止め部
４        バンド（着脱手段）
５１      第１のループ側ファスナ（着脱手段）
５２      第２のループ側ファスナ
５３      第３のループ側ファスナ
５４      第２のホック側ファスナ
５５      第１のホック側ファスナ（着脱手段）
６１      第１のガイド（ずれ防止部材）
６２      第２のガイド（ずれ防止部材）
１００    埋設物探査装置
１０２    本体ケーシング
１０３    ハンドルセット
１０４    端末ホルダ
１４１    ホルダベース
１４２    保持スライダ
１０５    ハンドル
１５１    基部
１５２    把持部
Ｔ        スマートフォン（携帯端末）
【図１】
2015040849.tif 000003
【図２】
2015040849.tif 000004
【図３】
2015040849.tif 000005
【図４】
2015040849.tif 000006
【図５】
2015040849.tif 000007
【図６】
2015040849.tif 000008
【図７】
2015040849.tif 000009
【図８】
2015040849.tif 000010
【図９】
2015040849.tif 000011